(57)【要約】移動体通信デバイスが、その移動体通信デバイスの好適なフェムトセルのリストに含まれていないフェムトセルの位置を識別及び記憶することを可能とする方法及び装置が提供される。特定のフェムトセルを識別すると、許可された移動体通信デバイスは特定のフェムトセルに登録して呼を開始及び受信することができる。さらに、本発明は、移動体通信デバイスが特定のフェムトセル付近にある時はいつでも、移動体通信デバイスが記憶位置情報を用いて特定のフェムトセルを自動的に識別することを可能とする。
2011526772.tif 000002
【特許請求の範囲】
【請求項１】
移動体通信デバイスを動作させる方法であって、
フェムトセル位置を識別するためのプロンプトを受信するステップ、
前記移動体通信デバイスの一般隣接リストにおいて前記フェムトセル位置に対応付けられた１以上の疑似ノイズ（ＰＮ）オフセットコードをサーチするステップ、及び
前記ＰＮオフセットコードの少なくとも１つに対応付けられる特定のフェムトセルにアイドルハンドオフを実行するステップ
を備える方法。
【請求項２】
請求項１の方法であって、さらに、
アイドルハンドオフの成功に応じて、前記特定のフェムトセルを好適なフェムトセルのリストに追加するステップ、
許可されている場合、前記特定のフェムトセルに登録するステップ、及び
前記特定のフェムトセルが好適なフェムトセルのリストに含まれていない場合に、該特定のフェムトセルに対応付けられた位置情報を記憶するステップ
を備える方法。
【請求項３】
請求項２の方法において、前記位置情報が、（ａ）少なくとも２つの座標によって表されるグローバル位置、（ｂ）基地局識別（ＩＤ）、（ｃ）ユーザのゾーン、（ｄ）位置エリアコード、（ｅ）システム識別（ＳＩＤ）、（ｆ）ネットワーク識別（ＮＩＤ）及び（ｇ）マクロセルのアイデンティティからなるグループから選択されるものである、方法。
【請求項４】
請求項２の方法であって、さらに、前記移動体通信デバイスが前記特定のフェムトセル付近にある時はいつでも、前記記憶された位置情報を用いて該特定のフェムトセルを自動的に識別するステップを備える方法。
【請求項５】
請求項１の方法であって、さらに、（ａ）前記特定のフェムトセルのカバレッジエリアをサービングする基地局の順方向信号強度、又は（ｂ）該特定のフェムトセルと該基地局の相対信号強度、にかかわらず該特定のフェムトセルに前記アイドルハンドオフを実行するステップを備える方法。
【請求項６】
請求項１の方法であって、さらに、前記アイドルハンドオフが不成功の場合、好適なローミングリスト上のサービスプロバイダのチャネルへの再誘導を実行するステップを備える方法。
【請求項７】
請求項１の方法であって、さらに、前記アイドルハンドオフが不成功の場合、サンクチュアリチャネルで登録するステップを備える方法。
【請求項８】
移動体通信デバイスであって、
前記移動体通信デバイスの一般近隣リストにおけるフェムトセル位置に対応付けられた１以上の疑似ノイズ（ＰＮ）オフセットコードをサーチするように動作可能なプロセッサ、及び
前記プロセッサに接続されたメモリであって、特定のフェムトセルが前記移動体通信デバイスの好適なフェムトセルのリストに含まれていない場合に、該特定のフェムトセルに対応付けられる位置情報を記憶するように動作可能なメモリ
を備えた移動体通信デバイス。
【請求項９】
請求項８の移動体通信デバイスにおいて、前記プロセッサが、前記移動体通信デバイスが前記特定のフェムトセル付近にある時はいつでも、前記記憶された位置情報を用いて該特定のフェムトセルを自動的に識別する、移動体通信デバイス。
【請求項１０】
請求項８の移動体通信デバイスにおいて、前記プロセッサが、さらに、前記特定のフェムトセルへのアイドルハンドオフが不成功の場合、好適なローミングリスト上のサービスプロバイダのチャネルへの再誘導を実行する、移動体通信デバイス。
【発明の詳細な説明】
【技術分野】
【０００１】
本発明は無線通信の技術に関し、より具体的には、許可された移動体通信デバイスがフェムトセルにアクセスするための方法に関する。  
【背景技術】
【０００２】
フェムトセルは住居又は小さな仕事環境内部での無線受信を改善するために設計された小さなアクセス基地局である。エンドユーザは特定のサービスプロバイダに対応付けられたフェムトセルを購入することができ、フェムトセルは特定のサービスプロバイダのライセンスされた周波数だけを使用することができる。フェムトセルはサービスプロバイダのネットワークに接続し、サービスプロバイダが既存のマクロセルのサービスカバレッジを屋内に、特に、そうしなければアクセスが制限され又は利用できないであろう場所に拡張することを可能とする。フェムトセルが装備された住宅又はオフィスで開始された移動体電話呼は移動体ハンドセットで始まり、フェムトセルに送られ、フェムトセルからバックホール、即ち、高速インターネット接続を介して無線ネットワークに進む。
【０００３】
フェムトセルが標準無線基地局セルラカバレッジパターン、即ち、マクロセルに追加されると、各フェムトセルに対してフェムトセルが多過ぎてそれ自身の固有のＰＮオフセット又は識別コードをマクロセルカバレッジ内で持つことができない。不都合なことに、疑似ノイズ（ＰＮ）オフセットは固有なものではないので、ある移動体電話機は、一般隣接リスト（General Neighbor List）を調べるときに、それ自身のフェムトセルだけでなく他のフェムトセルを見つけてしまう恐れがある。
【０００４】
移動体電話機がアクセス権のないフェムトセルを見つけ、かつその場所に留まると、それは、禁止されたアクセスに係るフェムトセルを見つけては再誘導されるといった定常的なアイドルハンドオフループに陥ってしまう。不都合なことに、移動体電話機はサービスを受けることができない。また不都合なことに、フェムトセルが専用周波数上で無線基地局の非常に近くに配置される場合、無線基地局のパワー／ノイズ比がフェムトセルのパワー／ノイズ比を小さく見せるので、フェムトセルの使用を許可された移動体電話機であってもフェムトセルへのアイドルハンドオフを行うことができない。
【発明の概要】
【課題を解決するための手段】
【０００５】
発明の原理によると、移動体通信デバイスが特定のフェムトセル付近にあるときはいつでも移動体デバイスが好適なフェムトセルのアイデンティティを学習するとともに自動的に好適なフェムトセルを識別することを可能とする技術によって、従来技術の問題が克服されることを認識した。より具体的には、本発明は、（ａ）フェムトセル位置を識別するためのプロンプトを受信するステップ、（ｂ）移動体通信デバイスの一般隣接リストにおいてフェムトセル位置に対応付けられる１以上の疑似ノイズ（ＰＮ）オフセットコードをサーチするステップ、及び（ｃ）ＰＮオフセットコードの少なくとも１つに対応付けられる特定のフェムトセルにアイドルハンドオフを実行するステップを有する。
【０００６】
また、本発明は、（ａ）フェムトセル位置を識別するためのプロンプトを受信する手段、（ｂ）移動体通信デバイスの一般隣接リストにおいてフェムトセル位置に対応付けられる１以上の疑似ノイズ（ＰＮ）オフセットコードをサーチする手段、及び（ｃ）ＰＮオフセットコードの少なくとも１つに対応付けられる特定のフェムトセルにアイドルハンドオフを実行する手段を備えた装置を提供する。
【０００７】
さらに、（ａ）移動体通信デバイスの一般近隣リストにおけるフェムトセル位置に対応付けられる１以上の疑似ノイズ（ＰＮ）オフセットコードをサーチするように動作可能なプロセッサ、及び（ｂ）プロセッサに接続されたメモリであって、特定のフェムトセルが移動体通信デバイスの好適なフェムトセルのリストに含まれていない場合に、特定のフェムトセルに対応付けられる位置情報を記憶するように動作可能なメモリを備えた移動体通信デバイスを提供する。
【図面の簡単な説明】
【０００８】
【図１】図１は発明の原理によって構成された通信ネットワークの一例の図である。
【図２】図２は発明の原理によって構成された移動体通信デバイスの一例の図である。
【図３】図３は発明の原理によって構成された本発明を動作させる方法の一例のフローチャートである。
【発明を実施するための形態】
【０００９】
本発明は、移動体通信デバイスにおける好適なフェムトセルのリストに含まれていないフェムトセルの位置を移動体通信デバイスが識別及び記憶することを可能とする。特定のフェムトセルを識別すると、許可された移動体通信デバイスはその特定のフェムトセルに登録して呼を開始及び受信することができる。さらに、本発明は、移動体通信デバイスが特定のフェムトセル付近にある時はいつでも、移動体通信デバイスが記憶位置情報を用いて特定のフェムトセルを自動的に識別することを可能とする。
【００１０】
図１は、発明の原理によって構成された通信ネットワークの一例の図を示す。図１に示すように、通信ネットワーク１００はフェムトセル１３０に無線で接続する移動体通信デバイス１１０を含む。また、フェムトセル１３０はサービスプロバイダネットワーク１５０に接続する。サービスプロバイダネットワーク１５０は、例えば、無線基地局１５５等の無線技術及びメディアコンテンツを移送するための有線技術を有する。
【００１１】
移動体通信デバイス１１０は、例えば、ポケット電話機等の小型、軽量で可搬の移動体電話機であって、移動体通信デバイス１１０が移動体通信デバイス１１０のユーザインターフェイスを介して不図示の通話相手と通信することを可能とするような無線技術を持つ通信ネットワークに無線で接続することができる移動体電話機である。移動体通信デバイス１１０のユーザインターフェイスは、マイクロフォン及びスピーカ等のオーディオインターフェイス、ディプレイ等のビジュアルインターフェイス、及びキーボード又はタッチパッド等のユーザ入力インターフェイス、並びにナビゲーションキーセット等のポインティングデバイスを含み得る。
【００１２】
移動体通信デバイス１１０はボイスコール、ｅメール、ショートメッセージサービス（ＳＭＳ）、マイクロブラウザメッセンジャ又はテキストメッセージングを送信及び受信することができる。また、移動体通信デバイス１１０はインターネットウェブページを読み込み、ファイルをサーバに転送し、映像をダウンロードし、音楽を再生し、画像を記録し得る。移動体通信デバイス１１０は不図示の符号分割多重アクセス（ＣＤＭＡ）、時分割多重アクセス（ＴＤＭＡ）、ユニバーサル移動体通信システム（ＵＭＴＳ）、移動体通信用グローバルシステム（ＧＳＭ）等のエアインターフェイス標準、又はボイスコール、ｅメール、ＳＭＳ、マイクロブラウザ若しくはテキストメッセージングをサポートする他のあらゆる標準又はプロトコルを使用し得る。移動体通信デバイス１１０は複数帯域動作、即ち、２つの無線アクセス技術を行うことができるようにしてもよい。
【００１３】
一実施例では、本発明は移動体通信デバイス１１０上のアドインアプリケーションとして実施され、移動体通信デバイス１１０上にある既存のアプリケーションとの関係で動作することができる。代替実施例では、本発明は移動体通信デバイス１１０上の既存のアプリケーションを強化するものとして実施され得る。さらに他の実施例では、本発明は移動体通信デバイス１１０上の既存のアプリケーションの代替として実施され得る。
【００１４】
本発明の方法は移動体「ポケット」電話機に限定されないことが容易に分かるはずである。発明の他の実施例では、移動体通信デバイス１１０は、エンジンで駆動される車両に装備され、車両の電気システムから電流を供給される移動体電話機であってもよい。発明のさらに他の実施例では、移動体通信デバイス１１０は、パーソナルデジタルアシスタンス（ＰＤＡ）デバイス、２方向ページャ、無線通信カード付きのノートブックコンピュータ、実行可能なプログラムの追加を可能とするポータブルメディアプレーヤ、又は手に乗る大きさの他の適当な通信デバイスであってもよい。
【００１５】
フェムトセル１３０は、移動体デバイス、例えば、移動体通信デバイス１１０からの通信セッションを不図示の被呼通話相手に、無線基地局を有するサービスプロバイダのネットワーク、例えば、サービスプロバイダ１５０、移動体スイッチングセンター（ＭＳＣ）等を介してルーティングする小さなショートレンジの無線基地局である。フェムトセル１３０は、フェムトセル１３０のレンジ内の許可された移動体デバイスのユーザがサービスプロバイダネットワーク１５０への呼を開始し、サービスプロバイダネットワーク１５０からの呼をフェムトセル１３０を介して受信することを可能とすることができる。フェムトセル１３０のユーザは、許可された移動体デバイスのアクセスリストを用いてフェムトセル１３０を構成することができる。アクセスリストは１以上の移動体デバイスのアイデンティティを含み得るが、フェムトセル１３０は同時に所定数の移動体デバイスのみをサービスするようにしてもよい。フェムトセル１３０は、アクセスリストに含まれていない移動体デバイスには再誘導メッセージを送ることによって移動体デバイスを却下（reject）することができる。
【００１６】
フェムトセル１３０は、標準の無線基地局、即ち、マクロセルのカバレッジエリア内に位置するが、マクロセルのカバレッジエリアに比べてフェムトセル１３０のカバレッジエリアは相対的に小さく、即ち、住宅又はオフィスビル程度である。マクロセルのカバレッジエリア内のフェムトセル１３０の具体的な位置は、（ａ）少なくとも２つの座標、例えば、緯度及び経度によって表されるグローバル位置、（ｂ）基地局識別（ＩＤ）コード、（ｃ）ユーザのゾーン、（ｄ）位置エリアコード、（ｅ）システム識別子（ＳＩＤ）、（ｆ）ネットワーク識別子（ＮＩＤ）及び（ｇ）疑似ノイズ（ＰＮ）オフセットコードを含む同様の識別情報からなるマクロセルのアイデンティティ、を含む種々の識別子によって記述され得る。フェムトセル１３０はこの位置情報をオーバーヘッドメッセージにおいて移動体デバイスに提供し得る。
【００１７】
移動体通信デバイス１１０のユーザが１以上のフェムトセルの付近、例えば５〜３０メートルにいるとき、ユーザは、移動体通信デバイス１１０にフェムトセルをサーチするように手動でトリガする、即ち、促す（プロンプトする）ことができる。ユーザは、移動体通信デバイス１１０のハンドセット上に配置された「Find Femtocell（フェムトセルを見つける）」キーを押すことによって、若しくは移動体通信デバイス１１０のディスプレイ上のタッチスクリーンに触れることによってサーチを開始することができ、又は移動体通信デバイス１１０が音声認識機能を有する場合には、ユーザは１以上のフェムトセルを音声応答を介してサーチすることができる。図２に示す移動体通信デバイス１１０のプロセッサ２１５は、プロンプトを受信すると、移動体通信デバイス１１０のメモリ、例えば図２に示すメモリ２０５にある一般近隣リストにおける１以上のフェムトセル位置のサーチを実行することができる。発明の一実施例では、プロセッサ２１５は、単一周波数疑似ノイズ（ＰＮ）オフセットコードを有する一般近隣リストにおけるアイテムの幾つかがフェムトセルであることを知ることになる。プロセッサ２１５が一般近隣リストにおけるマクロセルをサーチし、同じ周波数で同じＰＮオフセットコードが反復して発生すると判断すると、プロセッサ２１５はＰＮオフセットコードがフェムトセルＰＮオフセットコードであると判断することができる。発明の他の実施例では、移動体通信デバイス１１０は、アイドルハンドオフ及び異なるＰＮオフセットコードでの登録を試行し、再誘導メッセージを介して却下されるのに応じて、どのＰＮオフセットコードがフェムトセルに対応付けられているかを判断するといった試行錯誤的技術を介してフェムトセルを識別することができる。
【００１８】
ユーザは移動体通信デバイス１１０のディスプレイ上に１以上の識別されたフェムトセルを見ることができ、ディスプレイに全部収まらないアイテムを見るために移動体通信デバイス１１０のスクロールバー又は類似のデバイスが使用され得る。１以上のフェムトセルをつきとめると、移動体通信デバイス１１０は最も強い信号を持つ特定のフェムトセル、例えば、フェムトセル１３０へのアイドルハンドオフを実行することができる。
【００１９】
フェムトセル１３０へのアイドルハンドオフが不成功の場合には、移動体通信デバイス１１０は次に最も強い信号を持つ他のフェムトセルへのアイドルハンドオフを試みることができる。フェムトセル１３０へのアイドルハンドオフが成功した場合には、移動体通信デバイス１１０はフェムトセル１３０のアイデンティティをメモリ２０５における好適なフェムトセルのリストに追加することができる。次に、移動体通信デバイス１１０は、許可されると、フェムトセル１３０に登録し、フェムトセル１３０が好適なフェムトセルのリストに含まれていない場合にフェムトセル１３０の位置情報をメモリに記憶する。登録後、フェムトセル１３０はメディアコンテンツを（ａ）移動体通信デバイス１１０からサービスプロバイダネットワーク１５０に、又は（ｂ）サービスプロバイダネットワーク１５０から移動体通信デバイス１１０に、ルーティングすることができる。ページングメッセージは、フェムトセル１３０が位置するカバレッジエリアをサービングする無線基地局、例えば、基地局１５５ではなく、フェムトセルに誘導されることになる。
【００２０】
フェムトセル１３０の位置を学習し、即ち、記憶した後、移動体通信デバイス１１０のユーザは、その対応付けられたマクロセルのカバレッジエリア内にいることを理由として、移動体通信デバイス１１０がフェムトセル１３０の付近にある時はいつでも、記憶された位置情報を用いてフェムトセル１３０を好適なフェムトセルとして自動的に識別することができる。言い換えると、フェムトセル１３０をサーチするのに手動的介入はもはや必要ない。バッテリの電力を節約するために、プロセッサ２１５は、好適なフェムトセルについて記憶された位置が存在するマクロセル内に移動体通信デバイス１１０が位置するときのみ、好適なフェムトセルについて記憶された位置と移動体通信デバイス１１０の現在位置が一致するかを判断するようにしてもよい。プロセッサ２１５は周期的に、例えば、分毎にそれらの位置を比較し、プロセッサ２１５は記憶された位置パラメータ、例えば、緯度及び経度のサブセットとの比較を所定間隔内に制限することができる。比較の成功に応じて、例えば、基地局ＩＤコード等の他の記憶された位置パラメータが検証されるようにしてもよい。
【００２１】
移動体通信デバイス１１０は、その好適なフェムトセルのリストに含まれていない他のフェムトセルを、それらをサーチするよう指示されない場合には、無視又は却下することができる。さらに、移動体通信デバイス１１０は、カバレッジエリアをサービングする無線基地局、例えば、基地局１５５の順方向信号強度、又はフェムトセル１３０と無線基地局の相対信号強度にかかわらず、フェムトセル１３０のアイドルハンドオフを実行するようにしてもよい。順方向信号強度は信号対ノイズ比として測定できる。従って、移動体通信デバイス１１０のユーザがフェムトセル１３０の近くにいて、フェムトセル１３０の信号強度がマクロセルのカバレッジエリアの無線基地局の信号強度と比較して弱い場合には、移動体通信デバイス１１０はフェムトセル１３０へのアイドルハンドオフを実行することができる。
【００２２】
発明の他の実施例では、アクセスを許可しないフェムトセルへのアクセスを移動体通信デバイス１１０が試行し、フェムトセルからの干渉によって移動体通信デバイス１１０がフェムトセルとの共有周波数で無線基地局にアクセスできない場合、移動体通信デバイス１１０はそれ自身を、あまり好適でない位置のチャネル、例えば、パーソナル通信サービス（ＰＳＣ）チャネル又は他のサービスのプロバイダのセルラシステムに、呼を発信及び受信するためのサービスを可能とする記憶された好適なローミングリスト（ＰＲＬ）上で指定された同じエリアにおいて、再誘導する。移動体通信デバイス１１０は共有周波数を周期的に監視して、いつ無線基地局信号が再び使用できるかを判断することができる。
【００２３】
発明の更に他の実施例では、移動体通信デバイス１１０はアクセスすることを許可されないフェムトセルにアクセスすることを試行し、フェムトセルからの干渉によって移動体通信デバイス１１０がフェムトセルとの共有周波数で無線基地局にアクセスできない場合、フェムトセルは移動体通信デバイス１１０を無線基地局の周波数帯域内で生成されたサンクチュアリ（保護）チャネルに再誘導するようにしてもよい。サンクチュアリチャネルは、無線基地局の他のチャネルとはチャネルリストを共有しない。サービスプロバイダはチャネルを分離して、フェムトセルからの干渉のためにサービスを受けられない再誘導された移動体デバイスのためのサンクチュアリチャネルを生成する。この機能は、フェムトセルが無線基地局の２以上の周波数を共有する場合に有用なものとなる。移動体デバイス１１０は、ネットワークがその位置を知得するように、サンクチュアリチャネルに登録することが必要となる。
【００２４】
当業者であれば、好適なフェムトセルについてのユーザ開始による移動体での学習の具体的な実施における使用に対して、適切な移動体通信デバイス及びフェムトセルを容易に選択することができるはずである。
【００２５】
図２は発明の原理によって構成された移動体通信デバイスの一例の図を示す。図２に図示する種々の要素は、ここでの教示による周知の技術を用いてハードウェア、ソフトウェア又はファームウェアの任意の組合せを用いて実装できる。また、種々の要素は機能の例示構成及び区分を示す。図２に示すように、移動体通信デバイス１１０は、メモリ２０５及びサーチ機能２２０に接続するプロセッサ２１５を備える内部エリアを有する。これらの要素は移動体通信デバイス１１０の全体要素のうちのサブセットである。
【００２６】
プロセッサ２１５はデータを操作し、移動体通信デバイス１１０の動作を制御することができる任意のタイプのプロセッサであればよい。プロセッサ２１５とは、ソフトウェアを実行することができるハードウェアを排他的にいうものと解釈されるべきではなく、暗に、制限することなく、デジタル信号プロセッサ（ＤＳＰ）ハードウェア、ネットワークプロセッサ、特定用途向け集積回路（ＡＳＩＣ）、フィールド・プログラマブル・ゲート・アレイ（ＦＰＧＡ）、ソフトウェアを記憶するための読出し専用メモリ（ＲＯＭ）、ランダムアクセスメモリ（ＲＡＭ）、及び不揮発ストレージを含み得る。プロセッサ２１５の機能は単一の専用プロセッサによって、単一の共有プロセッサによって、又は複数の個別のプロセッサ（これらの幾つかは共有され得る）によって提供されることができる。
【００２７】
メモリ２０５は、好適なフェムトセルのリスト、好適なフェムトセルの位置、一般近隣リスト及び好適なローミングリストのような情報を記憶するためのメモリ位置を含む。
【００２８】
サーチ機能２２０はハードウェア、例えば、プロセッサ２１５によって実行され得るフェムトセルサーチを実行するためのソフトウェアである。サーチ機能２２０は、当業者には分かるように、多数のプログラム言語のいずれかで書き込まれ、又は実装される。
【００２９】
図３は、発明の原理によって構成された本発明を動作させる方法の例示的なフローチャートを示す。処理は、移動体デバイス、例えば、移動体通信デバイス１１０（図１）がフェムトセル、例えば、フェムトセル１３０（図１）を見つけるためのサーチを開始するときに、ユーザが移動体通信デバイス１１０のハンドセットに配置された「Find Femtocell（フェムトセルを見つける）」キーを押すことによって、又は移動体通信デバイス１１０のディスプレイ上のタッチスクリーンに触れることによって若しくは音声応答を介して、ステップ３００に進入する。
【００３０】
ステップ３１０（図３）において、移動体通信デバイス１１０内のプロセッサ、例えば、プロセッサ２１５（図２）が、サーチ機能２２０（図２）を介して、移動体通信デバイス１１０（図１）の一般近隣リスト（図２）における１以上のフェムトセル位置についてのサーチを実行する。プロセッサ２１５（図２）は２つの技術、即ち、（ａ）同じ周波数で同じＰＮオフセットコードが反復して発生するアイテムを識別する、又は（ｂ）異なるＰＮオフセットコードでアイドルハンドオフ及び登録を試行して再誘導メッセージを介して却下される、のうちの１つを利用してサーチを実行する。
【００３１】
ステップ３２０（図３）において、１つ以上のフェムトセルを識別すると、移動体通信デバイス１１０（図１）はフェムトセル１３０（図１）（最も強い信号を有する）に対するアイドルハンドオフを実行する。
【００３２】
ステップ３３０（図３）において、移動体通信デバイス１１０（図１）がフェムトセル１３０（図１）にアクセスすることが許可されているかを判断することが必要である。
【００３３】
条件分岐点３３０（図３）におけるテスト結果が、移動体通信デバイス１１０（図１）がフェムトセル１３０（図１）の許可されたユーザではないことを示す「ＮＯ」の場合には、制御はステップ３１０（図３）に移行して次に強い信号を持つ他のフェムトセルをサーチする。選択的に、フェムトセル１３０（図１）へのアイドルハンドオフが不成功のときに、移動体通信デバイス１１０（図１）のプロセッサ２１５（図２）は好適なローミングリスト上のサービスプロバイダのチャネルへの再誘導を実行するようにしてもよい。また選択的に、アイドルハンドオフが不成功のときに、移動体通信デバイス１１０（図１）はサンクチュアリチャネルで登録するようにしてもよい。条件分岐点３３０（図３）テスト結果が、移動体通信デバイス１１０（図１）がフェムトセル１３０（図１）の許可されたユーザであることを示す「ＹＥＳ」の場合には、制御はステップ３４０（図３）に移行する。
【００３４】
ステップ３４０（図３）において、移動体通信デバイス１１０（図１）はその好適なフェムトセルのリストにフェムトセル１３０（図１）のアイデンティティを追加する。
【００３５】
ステップ３５０（図３）において、移動体通信デバイス１１０（図１）はフェムトセル１３０（図１）に登録する。登録後、フェムトセル１３０（図１）はメディアコンテンツを（ａ）移動体通信デバイス１１０（図１）からサービスプロバイダ、例えば、サービスプロバイダネットワーク１５０（図１）に、又は（ｂ）サービスプロバイダネットワーク１５０（図１）から移動体通信デバイス１１０（図１）に、ルーティングする。ページングメッセージは、フェムトセル１３０（図１）が位置するカバレッジエリアをサービングする無線基地局、例えば、基地局１５５ではなく、フェムトセル１３０（図１）に誘導されることになる。
【００３６】
ステップ３６０（図３）において、移動体通信デバイス１１０（図１）は、フェムトセル１３０（図１）が好適なフェムトセルのリストに含まれていない場合にフェムトセル１３０の位置情報をメモリ２０５に記憶する。位置情報は（ａ）少なくとも２つの座標、例えば、緯度及び経度によって表されるグローバル位置、（ｂ）基地局識別（ＩＤ）コード、（ｃ）ユーザのゾーン、（ｄ）位置エリアコード、（ｅ）システム識別子（ＳＩＤ）、（ｆ）ネットワーク識別子（ＮＩＤ）及び（ｇ）疑似ノイズ（ＰＮ）オフセットコードを含む同様の識別情報からなるマクロセルのアイデンティティ、を含み得る。
【００３７】
ステップ３７０（図３）において、移動体通信デバイス１１０のユーザは、移動体通信デバイス１１０（図１）がフェムトセル１３０（図１）の付近にある時はいつでも、記憶された位置情報を用いてフェムトセル１３０（図１）を好適なフェムトセルとして自動的に識別する。プロセッサ２１５（図２）は、移動体通信デバイス１１０（図１）がフェムトセル１３０（図１）が存在するマクロセルに位置するときに、周期的に、例えば、分毎に移動体通信デバイス１１０の現在位置をフェムトセル１３０（図１）について記憶された位置と比較する。さらに、移動体通信デバイス１１０（図１）は、カバレッジエリアをサービングする無線基地局、例えば、基地局１５５の順方向信号強度、又はフェムトセル１３０（図１）と無線基地局の相対信号強度にかかわらず、フェムトセル１３０（図１）へのアイドルハンドオフをサーチし、見つかったときは実行する。
【００３８】
ステップ３８０（図３）において、移動体通信デバイス１１０（図１）はフェムトセル１３０（図１）の付近にあるときは他のフェムトセルを無視する。
【００３９】
ステップ３９０で処理を出る。
【００４０】
実際には、無線通信システムは、高性能プロセッサ及びハードディスクサブシステムのような大容量記憶要素を用いてコンピュータソフトウェアで実施される。具体的な通信システム機能を実施するコンピュータプログラムコードがハードディスクシステムのようなコンピュータ可読媒体上に記憶され、プロセッサによって実行される。
【００４１】
ここに記載されたステップ又は動作は例示を意図している。これらのステップ又は動作に対する多数の変形例が、発明の精神から離れることなく存在する。例えば、ステップは異なる順序で実行され、又はステップは追加、削除若しくは修正され得る。
【００４２】
上記は単に発明の実施例を示すものである。従って、当業者であれば、ここには明記又は明示されていないが、発明の原理を具現するとともにその精神と範囲内に含まれる種々の構成を工夫することができるはずである。
【図１】
2011526772.tif 000003
【図２】
2011526772.tif 000004
【図３】
2011526772.tif 000005
【国際調査報告】
2011526772.tif 000006
2011526772.tif 000007
2011526772.tif 000008